(57)【要約】【課題】プレキャストコンクリート製階段ユニット全体の重量を軽減して現場作業性を改善すると共に、強度的にも充分なプレキャストコンクリート製階段ユニット及び当該階段ユニットを用いた階段構造を提供する。【解決手段】階段主体をなす段板部１、当該段板部１の上下両端部に連続するフラット部４ａ，４ｂ、前記段板部１及びフラット部４ａ，４ｂの両側長手方向に繋がる桁部５とからなり、前記段板部１、フラット部４ａ，４ｂ及び桁部５が内部に各種配筋６を施したプレキャストコンクリート一体成型品とするか、又は桁部５のみを前記段板部１及びフラット部４ａ，４ｂの各種配筋６に接合した鉄骨板９とした。フラット部先端に幅桁部８を設け、この幅桁部８を建築構造体に設けた小梁部１５の上面に載置する。【選択図】図３
2009013747.tif 000002
【特許請求の範囲】
【請求項１】
階段主体をなす段板部、当該段板部の上下両端部に連続するフラット部、前記段板部及びフラット部の両側に繋がる桁部とからなり、前記段板部、フラット部及び桁部が内部に配筋を施したプレキャストコンクリート一体成型品であることを特徴とするプレキャストコンクリート製階段ユニット。
【請求項２】
階段主体をなす段板部、当該段板部の上下両端部に連続するフラット部、前記段板部及びフラット部の両側に繋がる桁部とからなり、前記段板部及びフラット部が内部に配筋を施したプレキャストコンクリート一体成型品であると共に、前記桁部が前記段板部及びフラット部の配筋に接合された鉄骨板であることを特徴とするプレキャストコンクリート製階段ユニット。
【請求項３】
段板部及びフラット部の表面が、プレキャスト成型時に型枠板との当接面となっていたことを特徴とする請求項１または２記載のプレキャストコンクリート製階段ユニット。
【請求項４】
建築構造体における壁体部に小梁部を形成し、当該小梁部の上面に、前記プレキャストコンクリート製階段ユニットにおける踊り場となるフラット部先端に形成した幅桁部を載置すると共に、プレキャストコンクリート製階段ユニットのフロア部に連繋される側のフラット部の端面に突出させた定着筋を建築構造体の現場打ちコンクリート内に埋設固定したことを特徴とするプレキャストコンクリート製階段ユニットを用いた階段構造。
【請求項５】
建築構造体における壁体部に小梁部を形成し、当該小梁部の上面に、前記プレキャストコンクリート製階段ユニットにおける踊り場となるフラット部先端に形成した幅桁部を載置すると共に、プレキャストコンクリート製階段ユニットのフロア部に連繋される側のフラット部の先端にも幅桁部を形成し、当該幅桁部を建築構造体に設けた小梁部の上面に載置するようにしたことを特徴とするプレキャストコンクリート製階段ユニットを用いた階段構造。
【発明の詳細な説明】
【技術分野】
【０００１】
本発明はプレキャストコンクリート製の階段ユニット、特に高層集合住宅等建築構造体の内階段に用いて好適なプレキャストコンクリート製階段ユニット及び当該階段ユニットを用いた階段構造に関する。
【背景技術】
【０００２】
現場打設による鉄筋コンクリート構造の内階段施工には、多くの時間とコストを要することから、高層集合住宅等の建設に当たってはこれまで鉄骨製の組立て階段が用いられることが多かった。しかしながら、鉄骨構造の階段は、鉄骨部材同士をボルト締結あるいは溶接し、踏面を化粧板やモルタル、あるいはタイルで仕上げた簡易な構造となっており、歩行者が昇降するときの歩行音や落下物による衝撃音が響き易いという問題点があると共に、重量感ないし高級感に欠けるという意匠上の問題点も指摘されている。
【０００３】
そのため、現場における型枠工事や、配筋工事、コンクリート打設工事等を省略できるプレキャストコンクリート製の組立階段が注目され、これまでに次に示すように様々な構造のものが提案されている。
【特許文献１】特開平５−１７１７６９号公報
【特許文献２】特開平７−２０７８６２号公報
【特許文献３】特開平８−４２３３号公報
【発明の開示】
【発明が解決しようとする課題】
【０００４】
上記した従来技術のうち、特許文献１（特開平５−１７１７６９号）に係るプレキャストコンクリート階段ユニットは、階段部分とその上下の踊り場部分及び本設手摺りを含む構成が一つにユニット化されている。
【０００５】
特許文献２（特開平７−２０７８６２号）に係るプレキャストコンクリート階段は、上下階のプレキャストコンクリート階段壁板を接合し、同壁板の側縁に形成した係止凹部にプレキャストコンクリート受梁を係着させ、同受梁上にプレキャストコンクリート段板の上下端部に一体に延設された踊場を支承させるようにしている。
【０００６】
特許文献３（特開平８−４２３３号）に係る組み立て階段は、壁板を上下方向に繋ぎ合わせて形成された壁柱の両側面に段板が方向を変えて交互に取り付けられ、一方の段板の上段部と他方の段板の下段部とが壁柱の短辺側両端部に取り付けた踊り場板で接合される構造となっている。
【０００７】
上記した従来のプレキャストコンクリート製階段ユニットのうち、特許文献１に示されたものは階段部分と上下の踊り場部分及び本設手摺りを含む構成が一つにユニット化されているのでＰＣによるメリットは得られるとしても、強度的に問題のある手摺りが一体化されているため重量のあるユニット全体の積込時、運搬時および取付施工時に手摺りに注意を払いながらの作業はきわめて非効率的となる。
【０００８】
特許文献２に示されたプレキャストコンクリート階段による場合はＰＣ受梁の断面が大きくなり重量が嵩むので寧ろ鉄骨の方が良いと共に、ＰＣ受梁とＰＣ壁板との接合が難しく部材点数も多くなり取付け作業が煩雑になるという問題点がある。
【０００９】
また、特許文献３に示された組み立て階段は構成部材が段板、踊り場板に分かれていると共に、壁柱と段板の連結を３本のボルト締め付けで行なうようになっているため調整が難しく現場作業が煩雑になるという問題点がある。
【００１０】
また、前記特許文献１及び２に示されたプレキャストコンクリート階段はいずれも段板部とフラット部（踊り場部）から構成されており、階段主体の長手方向両端に桁部が設けられていないため、強度保持のためコンクリートの板厚を厚くしなければならず、そのためプレキャストコンクリート階段ユニット全体の重量が大きくなって運搬時のみならず取付施工時に困難を伴うことが多いという問題点がある。
【００１１】
さらに、特許文献２及び３に示された従来のプレキャストコンクリート階段においては、階段主体の長手方向両端に配筋の施された桁部、あるいは鉄骨板からなる桁部が設けられていないため、壁柱に係合部を形成して当該係合部により踊り場部や段板部を係合させるようにしており、現場における作業工程数が増えて煩雑となり、プレキャストコンクリート製階段ユニットのメリットが半減するという問題点があった。
【００１２】
そこで、本発明は、前記した従来のプレキャストコンクリート製階段ユニットの問題点をなくし、段板部及びフラット部の長手方向両側に配筋を施した桁部、あるいは鉄骨板からなる桁部を一体形成することにより段板部及びフラット部の板厚を従来より薄くすることを可能にして全体の重量を軽減し、現場作業における煩雑さを解消したプレキャストコンクリート製階段ユニット及び当該階段ユニットを用いた階段構造を提供することを目的とするものである。
【課題を解決するための手段】
【００１３】
上記目的を達成するための本発明の構成を詳述すれば、請求項１に係る発明は、階段主体をなす段板部、当該段板部の上下両端部に連続するフラット部、前記段板部及びフラット部の両側に繋がる桁部とからなり、前記段板部、フラット部及び桁部が内部に配筋を施したプレキャストコンクリート一体成型品であることを特徴とするプレキャストコンクリート製階段ユニットである。
【００１４】
請求項２に係る発明は、階段主体をなす段板部、当該段板部の上下両端部に連続するフラット部、前記段板部及びフラット部の両側に繋がる桁部とからなり、前記段板部及びフラット部が内部に配筋を施したプレキャストコンクリート一体成型品であると共に、前記桁部が前記段板部及びフラット部の配筋に接合された鉄骨板であることを特徴とするプレキャストコンクリート製階段ユニットである。
【００１５】
請求項３に係る発明は、段板部及びフラット部の表面が、プレキャスト成型時に型枠板との当接面となっていたことを特徴とする請求項１または２記載のプレキャストコンクリート製階段ユニットである。
【００１６】
また、請求項４に係る発明は、建築構造体における壁体部に小梁部を形成し、当該小梁部の上面に、前記プレキャストコンクリート製階段ユニットにおける踊り場となるフラット部先端に形成した幅桁部を載置すると共に、プレキャストコンクリート製階段ユニットのフロア部に連繋される側のフラット部の端面に突出させた定着筋を建築構造体の現場打ちコンクリート内に埋設固定したことを特徴とするプレキャストコンクリート製階段ユニットを用いた階段構造である。
【００１７】
さらに、請求項５に係る発明は、建築構造体における壁体部に小梁部を形成し、当該小梁部の上面に、前記プレキャストコンクリート製階段ユニットにおける踊り場となるフラット部先端に形成した幅桁部を載置すると共に、プレキャストコンクリート製階段ユニットのフロア部に連繋される側のフラット部の先端にも幅桁部を形成し、当該幅桁部を建築構造体に設けた小梁部の上面に載置するようにしたことを特徴とするプレキャストコンクリート製階段ユニットを用いた階段構造である。
【発明の効果】
【００１８】
本発明によれば、段板部及びフラット部の両側長手方向に沿って内部に配筋を施したプレキャストコンクリート製の桁部または鉄骨板からなる桁部が一体的に設けられているため、当該桁部が負荷抵抗体となって荷重を支えることができ、段板部及びフラット部の板厚を従来より格段に薄くすることが可能となる。これにより同一高低差、且つ同一幅の階段ユニットであって全体の重量を約４０％軽減することができる。
【００１９】
前記請求項４に示すように、プレキャストコンクリート製階段ユニットにおける踊り場となるフラット部先端に形成した幅桁部を、建築構造体における壁体部に形成した小梁部の上面に載置すると共に、プレキャストコンクリート製階段ユニットのフロア部に連繋される側のフラット部の端面に突出させた定着筋を建築構造体の現場打ちコンクリート内に埋設固定することによって従来より短期間に階段施工を完工できる。
【００２０】
さらに、前記請求項５のように、プレキャストコンクリート製階段ユニットの長手方向両端部に桁部に連続して幅桁部を形成して、この両幅桁部を、建築構造体にそれぞれ設けた小梁部の上面に載置することによって階段施工を行なう場合は、階段施工に要する期間をさらに短縮することが可能となる。
【発明を実施するための最良の形態】
【００２１】
以下、本発明に係るプレキャストコンクリート製階段ユニット及び当該階段ユニットを用いた階段構造の具体的構成を図面に基づき詳細に説明する。
【００２２】
図１は本発明プレキャストコンクリート製階段ユニットの一実施形態を示す平面図、図２は図１のＡ−Ａ線に沿った断面説明図、図３は図１のＢ−Ｂ線に沿った断面図、図４は本発明プレキャストコンクリート製階段ユニットの一実施形態を示す側面図、図５は図４のＣ−Ｃ線に沿った断面図、図６は図４のＤ−Ｄ線に沿った断面図、図７は本発明プレキャストコンクリート製階段ユニットの配筋例を示す底面図、図８はフラット部先端に形成した桁部に連続する幅桁部を示す端面図、図９は桁部を鉄骨板構造としたときの段板部配筋又はフラット部配筋と当該鉄骨板との溶接状態を示す説明図、図１０は桁部を鉄骨板構造としたときの段板部配筋又はフラット部配筋と当該鉄骨板との螺合状態を示す説明図、図１１は本発明プレキャストコンクリート製階段ユニットを用いた階段構造の施工例を示す平面図、図１２は同側面図、図１３は本発明プレキャストコンクリート製階段ユニットを用いた階段構造の他の施工例を示す平面図、図１４は同側面図である。
【００２３】
図中１は蹴込み部２と踏み面３を連続して形成した階段主体をなす段板部、４ａ及び４ｂは当該段板部１の上下両端部に連続するフラット部である。図１及び図３における４ａは上下階の中間に設けられる踊り場を形成するフラット部であり、４ｂは建築構造体のフロア部に連繋される側のフラット部である。５は前記段板部１及びフラット部４ａ，４ｂの両側に繋がる桁部であり、内部には段板部１及びフラット部４ａ，４ｂを含めてメッシュ状に多数の配筋６が施されている。また、建築構造体のフロア部に連繋される側のフラット部４ｂ側の端面には多数の定着筋７を突出形成してある。
【００２４】
図１乃至図８に示す実施形態のプレキャストコンクリート製階段ユニットは、段板部１、フラット部４ａ，４ｂ及び桁部５が内部に各種配筋６を施したプレキャストコンクリート一体成型品であり、建築現場とは別の工場において段板部１、フラット部４ａ，４ｂ、桁部５に相当する各種配筋６及び定着筋７等を組み付け、型枠板によって囲まれた空間にコンクリートを充填し硬化させ脱型して事前に製造しておくものである。なお、成型品の型枠板との内部当接面は後加工の不要な緻密で美麗な表面となるので、段板部１及びフラット部４ａ，４ｂの表面がプレキャスト成型時に型枠板との当接面となるようにして型枠板を組み付けるようにするとよい。
【００２５】
この実施形態においては、上下階の途中に設けられる踊り場を形成するためのフラット部４ａの先端下面に桁部５に連続して幅桁部８を形成してある。この幅桁部８は桁部５の一部をなすものであり、肉厚は段板部１及びフラット部４ａ，４ｂの両側に設けられる桁部５の肉厚と同等か、あるいはこれより厚く形成されており、後述する建築構造体に取り付けるときに重要な役目をなす。
【００２６】
前記した実施形態の階段ユニットは、段板部１、フラット部４ａ，４ｂ及び桁部５が内部に各種配筋６を施したプレキャストコンクリート一体成型品となっているが、これ以外にも、段板部１及びフラット部４ａ，４ｂのみを内部に配筋６を施したプレキャストコンクリート一体成型品にすると共に、桁部５を段板部１及びフラット部４ａ，４ｂの各種配筋６に接合した鉄骨板９とすることもできる。
【００２７】
図９は桁部５を鉄骨板９とした場合のフラット部４ａ，４ｂ又は段板部１における各種配筋６との溶接による接合状態を示すもので、鉄骨板９の内側にコ字状をなす補助筋１０を溶接しておき、この補助筋１０とフラット部４ａ，４ｂにおける配筋６を溶接あるいは針金により緊締しておき、型枠板内にコンクリートを充填することによって鉄骨板とプレキャストコンクリートが複合された強度的にも充分な階段ユニットが得られる。
【００２８】
なお、配筋６類と鉄骨板９との接合は溶接によるだけでなく、図１０に示すように、鉄骨板９の所定箇所に螺子穴を形成しておくと共に、棒状の補助筋１１の先端に雄螺子１２を形成して、当該雄螺子１２を鉄骨板９の螺子穴にきつく螺着し、補助筋１１とフラット部４ａ，４ｂ等における配筋６を溶接あるいは針金により緊締して、型枠板内にコンクリートを充填することによって鉄骨板とプレキャストコンクリートの複合階段ユニットを得ることができる。
【００２９】
前記した鉄骨板９とプレキャストコンクリートの複合階段ユニットの場合、桁部厚をさらに薄くすることができるので比較的狭隘なスペースに内階段を施工するときに特に有効である。
【００３０】
本発明プレキャストコンクリート製階段ユニットの現場施工においては、図１１及び図１２に示すように、高層集合住宅等建築構造体１３における壁体部１４に小梁部１５を突設形成しておき、当該小梁部１５の上面にプレキャストコンクリート製階段ユニットにおける踊り場となるフラット部４ａの先端下面に形成した幅桁部８を載置すると共に、プレキャストコンクリート製階段ユニットのフロア部に連繋される側のフラット部４ｂの端面に突出させた定着筋７を建築構造体１３の現場打ちコンクリート内に埋設固定することによってプレキャストコンクリート製階段ユニットを用いた階段構造が完工となる。
なお、小梁部１５と幅桁部８の当接面には滑り材として有効な硬質ゴム等を介在させるようにするとよい。
【００３１】
桁部５及び幅桁部８が鉄骨板９によって形成された鉄骨板とプレキャストコンクリートの複合ユニットの場合には、特に図示しないが前記小梁部１５にアンカーを埋設しておき当該アンカーによって固定された金物と前記鉄骨製の桁部５あるいは幅桁部８をボルトとナットにより締結することによって固定することができる。また、建築構造体１３における壁体部１４が鉄骨構造の場合には、鉄骨柱に鉄骨製の小梁部を設けて、当該鉄骨製小梁部と桁部５あるいは幅桁部８をボルトとナットにより締結することによって固定を図ることができる。
【００３２】
上記した実施形態においては建築構造体のフロア部に連繋される側のフラット部４ｂには幅桁部を設けずに、定着筋７を突出させて、この定着筋７を建築構造体１３の現場打ちコンクリート内に埋設固定するようにしているが、このフロア部に連繋される側のフラット部４ｂの先端下面にも幅桁部８を形成し、当該幅桁部８を建築構造体１３に設けた小梁部１５の上面に載置するようにして、階段ユニットの長手方向両端部を共に小梁部１５に載置する構造としてもよいのは勿論である。
【００３３】
図１３及び図１４はプレキャストコンクリート製階段ユニットの長手方向両先端部にプレキャストコンクリート一体成型品としての幅桁部８、あるいは鉄骨板からなる幅桁部８を形成して、当該幅桁部８を建築構造体１３としての壁体部１４等に設けた小梁部１５の上面に載置して完工した施工例を示すもので、階段施工に要する期間を大幅に短縮することができる。
【００３４】
以上のように、本発明プレキャストコンクリート製階段ユニットは、段板部１、フラット部４ａ，４ｂ及び桁部５が内部に配筋６を施したプレキャストコンクリート一体成型品となっているか、または段板部１及びフラット部４ａ，４ｂのみを内部に配筋６を施したプレキャストコンクリート一体成型品にすると共に、桁部５を段板部１及びフラット部４ａ，４ｂの配筋６に接合した鉄骨板９となっているものであり、いずれも桁部が一体化されているため、当該桁部が負荷支承体となってユニット全体の荷重を支えることができ、段板部及びフラット部の板厚を従来より格段に薄くすることができ、１ユニット当たりの重量をこれまでより大幅に軽減することができると共に、作業性の良好なプレキャストコンクリート製階段ユニットを提供することができる。
【図面の簡単な説明】
【００３５】
【図１】本発明プレキャストコンクリート製階段ユニットの一実施形態を示す平面図である。
【図２】図１のＡ−Ａ線に沿った断面説明図である。
【図３】図１のＢ−Ｂ線に沿った断面図である。
【図４】本発明プレキャストコンクリート製階段ユニットの一実施形態を示す側面図である。
【図５】図４のＣ−Ｃ線に沿った断面図である。
【図６】図４のＤ−Ｄ線に沿った断面図である。
【図７】本発明プレキャストコンクリート製階段ユニットの配筋を示す底面図である。
【図８】フラット部先端に形成した幅桁部を示す端面図である。
【図９】桁部を鉄骨板構造としたときの段板部配筋又はフラット部配筋と当該鉄骨板との溶接状態を示す説明図である。
【図１０】桁部を鉄骨板構造としたときの段板部配筋又はフラット部配筋と当該鉄骨板との螺合状態を示す説明図である。
【図１１】本発明プレキャストコンクリート製階段ユニットを用いた階段構造の施工例を示す平面図である。
【図１２】同側面図である。
【図１３】本発明プレキャストコンクリート製階段ユニットを用いた階段構造の他の施工例を示す平面図である。
【図１４】同側面図である。
【符号の説明】
【００３６】
１：段板部
２：蹴込み部
３：踏み面
４ａ，４ｂ：フラット部
５：桁部
６：配筋
７：定着筋
８：幅桁部
９：鉄骨板
１０：補助筋
１１：補助筋
１２：雄螺子
１３：建築構造体
１４：壁体部
１５：子梁部
【図１】
2009013747.tif 000003
【図２】
2009013747.tif 000004
【図３】
2009013747.tif 000005
【図４】
2009013747.tif 000006
【図５】
2009013747.tif 000007
【図６】
2009013747.tif 000008
【図７】
2009013747.tif 000009
【図８】
2009013747.tif 000010
【図９】
2009013747.tif 000011
【図１０】
2009013747.tif 000012
【図１１】
2009013747.tif 000013
【図１２】
2009013747.tif 000014
【図１３】
2009013747.tif 000015
【図１４】
2009013747.tif 000016